【事件の表示】
　特願２００１−　５１５５７「画像形成方法及び画像形成装置」拒絶査定不服審判事件〔平成１４年　２月　６日出願公開、特開２００２−　４０６８１〕について、次のとおり審決する。
【結　論】
　本件審判の請求は、成り立たない。
【理　由】
第１．手続の経緯 
　本願は、平成１３年２月２７日（特許法第４１条に基づく優先権主張　平成１２年５月１９日）の出願であって、平成１８年１０月１７日付けで拒絶査定がなされ、これに対し、同年１２月７日に拒絶査定に対する審判請求がなされ、同年１２月２６日付けで手続補正がなされたものである。 
　
　
第２．平成１８年１２月２６日付けの手続補正についての補正の却下の決定 
［補正却下の決定の結論］ 
　　平成１８年１２月２６日付けの手続補正を却下する。 
　
［理由］ 
１．補正の概要 
　平成１８年１２月２６日付けの手続補正は、特許請求の範囲の請求項１を以下のとおりとする補正事項を含むものである。
　 
「【請求項１】　Ｃｕｋα線におけるＸ線回析においてブラッグ角（２θ±０．２）２７．３°に最大回析ピークを有するオキシチタニウムフタロシアニンを含有する電荷発生層と、一般式（Ｉ）あるいは一般式（II）で表される構造を単位を含むポリカーボネート樹脂を含有する電荷移動層が積層した感光層を有する電子写真感光体に対し、デジタル像露光を行い、この像露光で形成された静電潜像の現像に於いて、体積平均粒径（ＤV）が３〜８μｍであるトナーを
カラー現像部がブラック現像部より前に位置するフルカラータンデム方式での現像に
　　　　　　　　　　　　　　　　　　　　　　　　　  
（一般式（Ｉ）中、Ｒ１、Ｒ２はそれぞれ独立に、水素原子、置換基を有しても良いアルキル基、フェニル基を表す。）
（一般式（II）中、Ｒ３、Ｒ４はそれぞれ独立に、水素原子、置換基を有しても良いアルキル基、フェニル基を表すか、あるいは一体となった、置換基をを有しても良い環状アルキル基を表す。Ｒ５、Ｒ６はそれぞれ独立に水素原子、置換基を有しても良いアルキル基、アラルキル基を表し、Ｒ７、Ｒ８はそれぞれ独立に水素原子、置換基を有しても良いアルキル基を表す。）」 
 　 
２．補正の適否の判断 
　上記補正事項は、補正前の請求項１に記載した発明を特定するために必要な事項である「現像」の過程について、「カラー現像部がブラック現像部より前に位置するフルカラータンデム方式での現像」であるものに限定するものであるから、平成１４年法律第２４号改正附則第２条第１項によりなお従前の例によるとされる同法による改正前の特許法１７条の２第４項２号の特許請求の範囲の減縮を目的とする補正に該当する。
　そこで、本件補正後の前記請求項１に記載された発明（以下，「本願補正発明」という。）が特許出願の際独立して特許を受けることができるものであるか否かについて以下に検討する。 
 　 
３．引用刊行物に記載された発明  
　原査定の拒絶の理由に引用された、本願の優先日前に頒布されたことが明らかな、
　引用文献１（特開平１１−３８６６０号公報）、
　引用文献３（特開平８−２７２１２５号公報）、
　引用文献６（特開２０００−１９７５１号公報）、
　引用文献１０（特開平１１−１７４７３１号公報）、
　引用文献１５（特開平１１−４４９８１号公報）、
　引用文献１８（特開平１１−７２９３４号公報）、
　引用文献１９（特開平１０−２０５２７号公報）、
　引用文献４０（特開平１１−１３０８５７号公報）には、
以下の事項が記載されている。なお、下線は当審で付した。 
　
〔引用文献１〕 
(1a)「【請求項１】  導電性基体上に電荷発生層、電荷輸送層が積層された電子写真感光体において、該電荷発生層に含まれる電荷発生物質が、ＣｕＫα特性Ｘ線（波長１．５４１Å）に対するＸ線回析スペクトルのブラッグ角２θが２７．２°±０．２°に最大ピークを有するチタニルフタロシアニン化合物であり、且つ下記一般式（１）（当審注：式は省略）で表されるアミノ系酸化防止剤を含有することを特徴とする電子写真感光体。
【請求項４】  レーザー光源によるデジタル書き込み像形成プロセスを持つ画像形成方法において、請求項１に記載された感光体を用いることを特徴とする画像形成方法。」(特許請求の範囲）
 
(1b)「【発明が解決しようとする課題】本発明の目的は、
長波長レーザー光に対しても非常に高感度
　
(1c)「電荷発生物質（ＣＧＭ）としては、
オキシチタニルフタロシアニン（ＴｉＯＰｃ
・・・（中略）・・・
　尚、ＴｉＯＰｃの結晶型についてはＡ、Ｂ、Ｙ型等があり、本発明の結晶型は多くは
Ｙ型ＴｉＯＰｃ
このＴｉＯＰｃは、Ｃｕ−Ｋα線に対するＸ線回折スペクトル（ブラッグ角２θ）が最大ピークの２７．２°±０．２°
　
(1d)「本発明に係わる
トナー自体の粒径
小粒径のものが本発明の効果を奏しやすく
特に３〜９μｍのものが好ましい
　
(1e)「１  
感光体の形成
（下引層）
Ａ−１  アラミンＣＭ−８０００（東レ（株））              ２重量部
メタノール                                            １００重量部
を混合し、下引層液とした。これを円筒状アルミ基体上に浸漬塗布し、厚さ０．５μｍの下引層を得た。
（
電荷発生層
Ｇ−１（
Ｙ型チタニルフタロシアニン
シリコーン樹脂ＫＲ−５２４０（信越化学（株））            ２重量部
２−ブタノン                                          １００重量部
を混合し、サンドミルにて１０時間分散して電荷発生層塗布液を得た。この液を前記下引層の上に浸潰塗布して、厚さ０．２５μｍの電荷発生層を得た。
（
電荷輸送層
Ｔ−１（電荷輸送物質）                                    ８重量部
ビスフェノールＺ型ポリカーボネートＺ−３００
                                                        １２重量部
１，２−ジクロロエタン                                １００重量部
を混合溶解し、電荷輸送層塗布液を得た。この液を、前記電荷発生層の上に浸漬塗布して、９５℃、１時間の熱処理を行い、厚さ２５μｍの電荷輸送層を形成した。
　上記の電荷発生層、電荷輸送層へ、表１に示す酸化防止剤を添加し、実施例１〜５及び比較例１〜４の感光体を作製した。」（【００８５】〜【００８８】）
　
(1f)「評価方法と結果
　
図３
　【表２】（略）
　表２から明らかなごとく、本発明内の実施例１〜５は比較例１〜４に比べ電位特性が良好であり、実用に耐えるものが得られることがわかる。」（【００９１】〜【００９３】）
 
(1g)「
図３
デジタル複写機
・・・（中略）・・・一方、像形成を担う感光体ドラム４は帯電ユニット５でコロナ放電により均一に帯電され、続いて画像書き込み部のレーザー光源から像露光が感光体ドラム４上に照射される。そして次の現像ユニット６で反転現像され、露光部にトナー像が形成される。本例のようにカラー画像形成装置の場合は、
画像読み取り時に色分解された各分解色ごとに
レーザ露光
イエロー、マゼンタ、シアン、黒トナーの４色トナー像が、感光体上に形成
　
　上記の摘示事項（主に(1e)〜(1g)）に基づけば、引用文献１には、
「Ｃｕ−Ｋα線に対するＸ線回折スペクトル（ブラッグ角２θ）で２７．２°±０．２°に最大ピークを有するＹ型ＴｉＯＰｃ（オキシチタニルフタロシアニン）を含有する電荷発生層と、ビスフェノールＺ型ポリカーボネート樹脂を含有する電荷輸送層が積層した感光層を有する電子写真感光体に対し、デジタル像露光を行い、この像露光で形成された静電潜像の現像に於いて、イエロー、マゼンタ、シアン、黒のトナーを現像に用いた、画像形成方法。」の発明（以下、「引用文献１に記載された発明」という。）が記載されているものと認められる。
　なお、引用文献１、本願補正発明、本願発明（下記「第３）参照）などでは、「Ｘ線回析」と表記されているが、これは正確には「Ｘ線回折」というべきであるから、これ以降、「Ｘ線回析」は「Ｘ線回折」と表記する。
　
〔引用文献３〕
　引用文献３において、請求項２の一般式（２）や一般式（４）、【００６９】〜【００７１】の式Ｐ２−６〜Ｐ２−８，Ｐ３−４等、【０１３８】の表２の実施例７〜９には、電荷輸送層の電荷輸送物質として、本願の一般式（Ｉ）で表される構造単位を含むポリーカーボネート樹脂が示されており、
　【０１３８】【０１４５】の表２，３、【０１６３】などには、当該樹脂の分子量や添加する無機粒子の粒径を工夫することにより、耐摩耗性の高い感光体が得られる旨が記載されており、
　また、【０１５５】〜【０１６２】の実施例１４，１５には、本願の一般式（Ｉ）のポリカーボネート樹脂と並んで有用とされる他の構造のポリカーボネート樹脂に対してではあるが、電荷発生物質として、本願及び引用文献１に記載された発明と同じ、ブラッグ角（２θ±０．２）２７．３°に最大回折ピークを有するオキシチタニウムフタロシアニンを使用する例が示されている。　
　
〔引用文献６〕
　引用文献６において、請求項１の式（II）、【００９９】の実施例１等には、 電荷輸送層の電荷輸送物質として、本願の一般式（II）で表される構造単位を含むポリーカーボネート樹脂が示されており、
　【００９２】【００９４】、図３、図５には、電荷発生物質として、ほぼブラッグ角（２θ±０．２）２７．３°に最大回折ピークを有するチタニウムフタロシアニンが示されており、
　また、【０１１０】の実施例６には、当該ポリーカーボネート樹脂と当該チタニウムフタロシアニンを用いた感光体が示されている。
　
〔引用文献１０〕
(10a)「第１図は、本発明の画像形成方法を実施可能な画像形成装置の概略図を示す。」（【０３２１】）
　
(10b)「・・・・・例えば、第１の画像形成ユニットＰａにイエロートナー、第２の画像形成ユニットＰｂにマゼンタトナー、第３の画像形成ユニットＰｃにシアントナー、及び第４の画像形成ユニットＰｄにブラックトナーをそれぞれ用い、各画像形成ユニットの転写部で各カラートナーの転写材上への転写が順次行なわれる。・・・・・」（【０３２７】）
　
(10c)「【０３３４】次に、複数画像形成部にて各色のトナー画像をそれぞれ形成し、これを同一転写材に順次重ねて転写するようにした画像形成方法を
図３
【０３３５】ここでは、第１，第２，第３及び第４の画像形成部２９a ，２９b ，２９c ，２９d が並設されており、各画像形成部はそれぞれ専用の静電潜像保持体、いわゆる感光ドラム１９a ，１９b ，１９c 及び１９d を具備している。
【０３３６】感光ドラム１９a 乃至１９d はその外周側に潜像形成手段２３a ，２３b ，２３c 及び２３d ，現像部１７a ，１７b ，１７c 及び１７d 、転写用放電部２４a，２４b，２４c 及び２４d 、ならびにクリーニング部１８a，１８b，１８c 及び１９d が配置されている。
【０３３７】このような構成にて、
先ず、第１画像形成部２９a
現像手段１７a のイエロートナー
【０３３８】上記のようにイエロー画像が転写材Ｓに転写されている間に、
第２画像形成部２９b 
現像手段１７b のマゼンタトナー
【０３３９】
以下、上記と同様な方法により第３，第４の画像形成部２９c ，２９d によってシアン色，ブラック色の画像形成が行われ
　ここで、図３をみると、いわゆる「
フルカラーのタンデム方式の画像形成装置
　
(10d)「多重現像一括転写方法について、フルカラー画像形成装置を例にして図５に基づいて説明する。
　感光ドラム１０３上に帯電器１０２とレーザー光を用いた露光部１０１で形成された静電潜像は現像器、１０４，１０５，１０６，及び１０７により順次トナーを現像して可視化される。現像プロセスにおいては、非接触現像方法が好ましく用いられる。非接触現像方法によれば現像器中の現像剤層が像形成体の表面を擦ることがないので、２回目以降の現像工程において先行の現像工程で形成された像を乱すことなく現像を行なうこができる。
現像する順は、多色の場合は黒以外の色で、明度，彩度の高い色から現像するのが好ましい
フルカラーの場合は、イエロー、ついでマゼンタあるいはシアンのどちらか、ついでマゼンタあるいはシアンの残った方、最後に黒の順で現像することが好ましい
　
〔引用文献１５〕
(15a)「第１図に、本発明の画像形成装置の一例を表す概略図を示す。・・・・・」（【００３３】）
　
(15b)「・・・・・プロセスユニット１００ａの現像器９ａにはイエロー色の第１の現像剤、プロセスユニット１００ｂの現像器９ｂにはマゼンタ色の第２の現像剤、プロセスユニット１００ｃの現像器９ｃにはシアン色の第３の現像剤、
プロセスユニット１００ｄの現像器９ｄにはブラック色の第４の現像剤の各色の現像剤が収容
　
(15c)
　
(15d)「・・・・・従って、まず、感光体ドラム１ａ上の第１の現像剤像が用紙Ｐ上に転写され、第１の現像剤像を担持した用紙Ｐは、搬送されて感光体ドラム１ｂに達する。感光体ドラム１ｂに形成された第２の現像剤像は、先に転写された第１の現像剤像上に重ねて転写される。用紙Ｐは更に搬送されて、感光体ドラム１ｃ、感光体ドラム１ｄにおいても、同様に、第３及び第４の現像剤像が転写される。
　このように、多重転写により形成された像を担持した用紙Ｐは、搬送手段１１から定着器３３へ送られる。定着器３３は、加熱ローラ３５及び加熱ローラ加圧ローラ３７を有している。用紙Ｐは、加熱ローラ及び加圧ローラとの間を、像が加熱ローラと接触する状態で、通されることにより、用紙Ｐ上に定着される。」（【００５１】【００５２】）
　
〔引用文献１８〕
　引用文献１８の請求項３、【００３０】の構造単位（２−２）、【００３３】〜【００４１】の実施例１〜６には、電荷輸送層の電荷輸送物質として、本願の一般式（Ｉ）で表される構造単位を含むポリーカーボネート樹脂が示されており、【００５１】〜【００５３】には、１万枚印刷後の膜削れ量が少ない旨が記載されており、また、【００２２】には、好ましい電荷発生物質としてＹ型などのチタニウムフタロシアニンが挙げられている。
　
〔引用文献１９〕
　引用文献１９の請求項１の一般式（２）や【００５８】〜【００６１】には、電荷輸送層の電荷輸送物質として、本願の一般式（II）の式に相当する構造単位を含むポリーカーボネート樹脂が記載されており、【００７３】〜【００７５】には、５０００枚印字での耐摩擦性が良好である旨が記載されており、また、【００２４】【００２５】には、本願及び引用文献１に記載された発明と同じ、ブラッグ角（２θ±０．２）２７．３°に最大回折ピークを有するオキシチタニウムフタロシアニンを含有する電荷発生層を用いることが好ましい旨が記載されている。
　
〔引用文献４０〕
　引用文献４０の請求項６の式（４），【００２２】の構造式（２−１）、【００４７】の合成例２，【００４７】の合成例４、【００５４】の実施例３、【００５５】の実施例４等には、電荷輸送層の電荷輸送物質として、本願の一般式（Ｉ）で表される構造単位を含むポリーカーボネート樹脂が示されており、【００７４】【００７５】には、１万枚後の膜削れ量が少ない旨が記載されている。また、【００３１】には、好ましい電荷発生物質としてＹ型などのチタニウムフタロシアニンが挙げられている。
　
４．対比、判断  
　本願補正発明と、引用文献１に記載された発明とを対比すると、
　引用文献１に記載された発明の「電荷輸送層」は、本願補正発明の「電荷移動層」に相当し、
　引用文献１に記載された発明の「Ｃｕ−Ｋα線に対するＸ線回折スペクトル（ブラッグ角２θ）で２７．２°±０．２°に最大ピークを有するＹ型ＴｉＯＰｃ（オキシチタニルフタロシアニン）」は、実質的に、本願補正発明の「Ｃｕｋα線におけるＸ線回折においてブラッグ角（２θ±０．２）２７．３°に最大回折ピークを有するオキシチタニウムフタロシアニン」（なお、本願明細書【００８８】には、これが「Ｙ型」と呼ばれることが記載されている。）に相当するということができ、
　また、引用文献１に記載された発明の「イエロー、マゼンタ、シアン、黒のトナーを用いた、画像形成方法」は、フルカラーの画像形成方法ということができる。
　
　したがって、両発明の一致点、相違点は以下のとおりと認められる。
　
〔一致点〕
　「Ｃｕｋα線におけるＸ線回折においてブラッグ角（２θ±０．２）２７．３°に最大回折ピークを有するオキシチタニウムフタロシアニンを含有する電荷発生層と、ポリカーボネート樹脂を含有する電荷移動層が積層した感光層を有する電子写真感光体に対し、デジタル像露光を行い、この像露光で形成された静電潜像の現像に於いて、トナーを現像に用いた、フルカラーの画像形成方法。」
　
〔相違点１〕
　電荷移動層に含有するポリカーボネート樹脂として、
　本願補正発明においては、「一般式（Ｉ）あるいは一般式（II）で表される構造を単位を含むポリーカーボネート樹脂」を使用することを規定するのに対して、
　引用文献１に記載の発明においては、ビスフェノールＺ型ポリカーボネートを使用している点。
　
〔相違点２〕
　本願補正発明が、体積平均粒径（ＤV）が３〜８μｍであるトナーをカラー現像部がブラック現像部より前に位置するフルカラータンデム方式での現像に用いたのに対して、
　引用文献１記載の発明においては、トナーの粒径や、各色現像部の位置関係、タンデム方式を適用することについては記載していない点。
　
　まず、相違点１について検討する。
　
　本願補正発明で規定する一般式（Ｉ）あるいは一般式（II）（以下、それぞれ「本願の一般式（Ｉ）」「本願の一般式（II）」という。）で示される構造単位を含むポリカーボネート樹脂を、積層型感光体の電荷輸送層の形成に使用することは、本願の一般式（Ｉ）については、引用文献３，引用文献１８，引用文献４０に記載されており、また、本願の一般式（II）については、引用文献６，引用文献１９に記載されており、しかも、本願の一般式（Ｉ）、本願の一般式（II）ともに、耐摩耗性に優れた感光体が得られることがそれら文献に記載されており、周知といってもよいほどである。
　
　そして、本願の一般式（II）のポリカーボネート樹脂に対して、本願及び引用文献１に記載された発明と同じ、ブラッグ角（２θ±０．２）２７．３°に最大回折ピークを有するオキシチタニウムフタロシアニンを含有する電荷発生層を組み合わせることも、引用文献６（実施例６）、引用文献１９（【００２５】）に記載又は示唆されている。
　本願の一般式（Ｉ）のポリカーボネート樹脂に対する電荷発生物質の組合については、引用文献３の【０１５５】〜【０１６２】では、本願一般式（Ｉ）と並んで有用とされる別のポリカーボネート樹脂に対してではあるが、本願及び引用文献１に記載された発明と同じ、ブラッグ角（２θ±０．２）２７．３°に最大回折ピークを有するオキシチタニウムフタロシアニンを使用する例が示されている。また、引用文献１８（【００２２】）、引用文献４０（【００３１】）には、好ましい電荷発生物質としてＹ型のチタニウムフタロシアニンなどが挙げられている。
　
　そうしてみれば、引用文献１（感光体の電荷発生層には、Ｃｕｋα線におけるＸ線回折においてブラッグ角（２θ±０．２）２７．３°に最大回折ピークを有するオキシチタニウムフタロシアニンを含有する）に記載された画像形成方法に用いられている電荷輸送層のポリカーボネート樹脂として、感光体表面の耐摩耗性を向上させる目的で、ビスフェノールＺ型ポリカーボネートに代えて、本願の一般式（Ｉ）又は一般式（II）の構造を含むポリカーボネート樹脂の適用を試みることは、当業者であれば容易に想起するところである。
　
　次に、相違点２について検討する。
　
　引用文献１には、「本発明に係わるトナー自体の粒径は任意であるが、小粒径のものが本発明の効果を奏しやすく、体積平均粒径で２〜１５μｍのものが好ましく、特に３〜９μｍのものが好ましい。」(1d)との記載があり、また、一般に、高解像度のために、トナーの体積平均粒径（ＤV）を３〜８μｍ程度にすることは周知でもある（原審の拒絶理由通知に引用された引用文献１２の【０００７】、同じく引用文献１３の【０００４】、同じく引用文献１４の【０００４】〜【０００５】、同じく引用文献２１の【０００６】などを参照。）。
　また、フルカラー画像の形成において、有彩色トナーによる現像後に、黒色トナーによる現像を行うことは、引用文献１０及び引用文献１５にも見られるとおり、ごく通常に行われていることであり、タンデム方式を含めた、多重現像一括転写方式において、有彩色トナーによる現像後に、黒色トナーによる現像を行うのが好ましいことも、引用文献１０にも記載されているとおり、本願優先日前より公知のことである。
　そして、フルカラー画像形成方法に使用される現像方式として、タンデム型はごく通常選択される方式の一つである。
　したがって、引用文献１に記載された発明において、本願補正発明のように、体積平均粒径（ＤV）が３〜８μｍのトナーを、カラー現像部がブラック現像部より前に位置するフルカラータンデム方式での現像に用いることは、当業者が容易になし得ることである。
　　
　さらに、本願明細書に記載されている発明の効果についても検討すると、
　１）細線再現性及び階調性の向上のために、微粒子トナー、すなわち、重量平均粒径３〜８μｍ程度のトナーを使用すること（上記のとおり）、
　２）タンデム方式の有する利点として、フルカラー画像形成プロセスにおける高速化が達せられること（例えば、「続　電子写真技術の基礎と応用」コロナ社1996年11月15日発行第55頁）、
　３）本願の一般式（Ｉ）又は一般式（II）に該当するポリカーボネート樹脂の使用により、耐摩耗性に優れた有機感光体が得られること（上記のとおり）は、
　それぞれ、本願優先日前より当業界において広く知られていた事項であるから、それらを寄せ集めれば、本願明細書【０００７】に記載された、本願発明が目的とする、「細線再現性や階調性に優れる画像を得ると同時に、高速プロセスに適応した、高寿命電子写真感光体およびそれを用いた画像形成方法を提供する」ことを達成しうるであろうとは、当業者であれば容易に想起しうることである。
　そして、本願明細書に記載された各実施例及び比較例の対比をみても、本願補正発明が奏する効果は、格段のものとは言い難く、上記の公知事項や周知事項から当業者であれば容易に予測しうる程度のものにすぎない。
　
　したがって、本願補正発明は、引用文献１、引用文献３、引用文献６、引用文献１０、引用文献１５、引用文献１８、引用文献１９、引用文献４０に記載された発明、及び周知技術に基づいて、その発明の属する技術の分野における通常の知識を有する者が、容易に発明をすることができたものであるから、特許法第２９条第２項の規定により特許出願の際独立して特許を受けることができないものである。
 　 
５．むすび
　よって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３．本願発明について
１．本願の請求項に係る発明
　平成１８年１２月２６日付けの手続補正は上記のとおり却下されたので、本願の請求項１乃至１３に係る発明は、平成１８年５月１５日付の手続補正書によって補正された明細書の特許請求の範囲の請求項１乃至１３に記載されたとおりのものであり、そのうち請求項１に係る発明（以下、「本願発明」という）は次のとおりのものと認める。
　
　「【請求項１】　Ｃｕｋα線におけるＸ線回折においてブラッグ角（２θ±０．２）２７．３°に最大回折ピークを有するオキシチタニウムフタロシアニンを含有する電荷発生層と、一般式（Ｉ）あるいは一般式（II）で表される構造を単位を含むポリカーボネート樹脂を含有する電荷移動層が積層した感光層を有する電子写真感光体に対し、デジタル像露光を行い、この像露光で形成された静電潜像の現像に於いて、体積平均粒径（ＤV）が３〜８μｍであるトナーを用いたことを特徴とする画像形成方法。
　　　　　　　　　　　　　　　　　　　　　　　　　
（一般式（Ｉ）中、Ｒ１、Ｒ２はそれぞれ独立に、水素原子、置換基を有しても良いアルキル基、フェニル基を表す。）
　　　　　
（一般式（II）中、Ｒ３、Ｒ４はそれぞれ独立に、水素原子、置換基を有しても良いアルキル基、フェニル基を表すか、あるいは一体となった、置換基をを有しても良い環状アルキル基を表す。Ｒ５、Ｒ６はそれぞれ独立に水素原子、置換基を有しても良いアルキル基、アラルキル基を表し、Ｒ７、Ｒ８はそれぞれ独立に水素原子、置換基を有しても良いアルキル基を表す。）」
　
２．引用文献に記載された発明
　原査定の拒絶の理由に引用された、本願の優先日前に頒布されたことが明らかな引用文献１、引用文献３、引用文献６、引用文献１８、引用文献１９、引用文献４０には、上記「第２．平成１８年１２月２６日付けの手続補正についての補正却下の決定」の「３．」欄に摘示したとおりの事項が記載されている。
　
３．判断
　本願発明は、上記「第２．平成１８年１２月２６日付けの手続補正についての補正却下の決定」の「１．」欄に示した本願補正発明における、「カラー現像部がブラック現像部より前に位置するフルカラータンデム方式での現像に用いた」とする限定を含まないものである。
　すなわち、本願発明は、引用文献１に記載された発明に対して、上記「第２．平成１８年１２月２６日付けの手続補正についての補正却下の決定」の「４．対比、判断」欄に記載した「相違点２」において、「カラー現像部がブラック現像部より前に位置するフルカラータンデム方式での現像に」の点を有しない関係のものである。
　そうすると、本願発明の特定事項を全て含み、さらに限定を付加したものに相当する本願補正発明が、引用文献１、引用文献３、引用文献６、引用文献１０、引用文献１５、引用文献１８、引用文献１９、引用文献４０に記載の発明、及び周知技術に基づいて、当業者が容易に発明をすることができたものである以上、本願発明も、同様の理由により、引用文献１、引用文献３、引用文献６、引用文献１８、引用文献１９、引用文献４０に記載された発明、及び周知技術に基づいて（なお、引用文献１０、引用文献１５は使用する必要がない）、当業者が容易に発明をすることができたものである。
　
４．むすび
　以上のとおり、本願の請求項１に係る発明は、その発明の属する技術の分野における通常の知識を有する者が、引用文献１、引用文献３、引用文献６、引用文献１８、引用文献１９、引用文献４０に記載された発明、及び周知技術に基づいて容易に発明をすることができたものであるから、特許法第２９条第２項の規定により特許を受けることができないものであり、他の請求項に係る発明について検討するまでもなく、本願は拒絶すべきものである。
　よって、結論のとおり審決する。